(57)【特許請求の範囲】
【請求項１】
袋の底部が、前後両側の壁面の積層フィルムの下部の間に、底面フィルムを内側に折り込んで挿入してなるガセット部を有する形式で形成され、該ガセット部が船底形のシールパターンでヒートシールされてなる自立性袋において、該袋の前後両側の壁面の下端に、両側のガセット部のフィルムを延長してなる突出部が設けられており、該突出部が、袋の下辺の中央部、または下辺の複数箇所にタブ状の形状に設けられており、該袋の上部がくびれた形状で狭い幅に形成されていることを特徴とする自立性袋。
【発明の詳細な説明】
【０００１】
【発明の属する技術分野】
本発明は、自立性袋に関し、更に詳しくは、袋の底部の形状を改善し、内容物充填後の袋の自立性を一層向上させた自立性袋に関する。
【０００２】
【従来の技術】
従来、スタンディングパウチと呼ばれる通常の自立性袋は、その底部が、前後両側の壁面の積層フィルムの下部の間に、底面フィルムを内側に折り込んで挿入してなるガセット部を有する形式で形成され、折り込まれた底面フィルムの両側下端近傍には半円形などの底面フィルム切り欠き部が設けられ、且つ、そのガセット部を船底形のシールパターンでヒートシールして形成され、また、胴部が、前後両側の壁面の積層フィルムの両側端縁部を所定幅の側部シール部でヒートシールして形成されていた。
【０００３】
このような自立性袋は、上部の開口部から内容物を充填することにより、胴部と共に底部のガセット部が筒状に広がり、且つ、底部では、前記船底形の底部シール部により、ガセット部の下側端縁部がヒートシールされると同時に、その両側の側部が、前記底面フィルム切り欠き部の部分で壁面の積層フィルム同士がヒートシールされているので、底部の外周には、ヒートシール部によるリング状の脚部が形成され、それにより袋に自立性が付与されていた。
【０００４】
しかし、このような自立性袋の自立安定性は、内容物充填後の通常の取り扱いや、店頭陳列などの際の自立性の点では問題ないが、例えば、内容物が加熱して食するような食品で、実際に加熱の際、袋の上部の一部を蒸気抜き口として開口させて、袋ごと電子レンジなどで加熱するような使用方法を採る場合には、加熱中、電子レンジの回転トレーで回転されるため、トレー上に自立させた袋が転倒して内容物が袋からこぼれ出ることがあり、更に自立安定性の向上を図る必要があった。
【０００５】
【発明が解決しようとする課題】
本発明は、このような問題点を解消するためになされたものであり、その目的とするところは、通常の自立性袋と同様な工程で生産性よく製造でき、内容物の充填適性や、その保存性に優れると共に、自立性においても、通常の取り扱い時や、店頭陳列での安定性はもとより、内容物を袋ごと電子レンジで加熱するような操作を行った場合でも転倒するようなことのない、自立安定性にも一層優れた自立性袋を提供することにある。
【０００６】
【課題を解決するための手段】
上記の課題は、以下の本発明により解決することができる。即ち、請求項１に記載した発明は、
袋の底部が、前後両側の壁面の積層フィルムの下部の間に、底面フィルムを内側に折り込んで挿入してなるガセット部を有する形式で形成され、該ガセット部が船底形のシールパターンでヒートシールされてなる自立性袋において、該袋の前後両側の壁面の下端に、両側のガセット部のフィルムを延長してなる突出部が設けられており、該突出部が、袋の下辺の中央部、または下辺の複数箇所にタブ状の形状に設けられており、該袋の上部がくびれた形状で狭い幅に形成されていることを特徴とする自立性袋からなる。
【０００７】
通常の自立性袋は、前述したように袋の底部をガセット形式で形成し、そのガセット部を船底形のシールパターンでヒートシールしており、更に、袋の下端、即ち、ガセット部の下端は水平にカットされている。
このような自立性袋に内容物を充填すると、袋が筒状に膨らみ、底部の外周にヒートシール部によるリング状の脚部が形成される。そして、袋を立てて置いた時、この脚部が均一に接地することにより安定した自立性が得られる。
しかし、実際には、リング状の脚部のうち、袋の前後の壁面の下端の両側から中央部にかけての領域で、僅かではあるが浮き上がり部を生じて均一に接地しにくい問題があった。
【０００８】
この浮き上がり部は、袋の壁面下端の左右両側から中央部にかけて、高さが極僅かずつ大きくなり、中央部で最大となっている。
上記浮き上がり部の高さは、袋の底部の構成、即ち、底部の幅およびガセット部の折り込み深さ、船底形の底部シール部の形状、更には、内容物の充填量などにより影響されるため一定ではないが、内容量５００〜１０００ｍｌ程度の標準的な袋の場合、最大部で２．０〜４．５ｍｍ程度である。
【０００９】
本発明では、この浮き上がり部を補足するために、前記袋の前後両側のガセット部のフィルムを下方に延長して突出部を設けたものである。
このような突出部は、任意の形状でよいが、少なくとも袋の前後の壁面の下端中央部が最大となるように設けることが好ましい。
【００１０】
従って、前記のような構成を採ることにより、通常のスタンディングパウチと同様な製造工程で生産性よく製造することができ、内容物の充填も容易で、内容量の割にコンパクトで外観に優れると共に、取り扱いやすく、特に、自立安定性においては、通常のスタンディングパウチよりも一層優れたものとすることができる。
【００１５】
さらに、請求項１に記載した発明は、前記突出部が、袋の下辺の中央部、または下辺の複数箇所にタブ状の形状に設けられていることを特徴とする自立性袋である。上記突出部のタブ状の形状は、矩形状のほか、半円形、半楕円形状など任意の形状に設けることができる。その長さについても、最低限、前記浮き上がり部を埋める長さであることが好ましいが、更に長くして、袋の前後両側に開いてその剛性で袋を支えるようにすることができる。
【００１６】
このような構成を採ることにより、前述した発明の作用効果に加えて、内容物を充填した袋を自立させた時、袋の両側の壁面の下端中央部の領域に主に発生する浮き上がり部を、タブ状の突出部によりバランスよく補足することができるので、袋の自立安定性を一層向上させることができる。
【００１７】
さらに、請求項１に記載した発明は、前記袋の上部がくびれた形状で狭い幅に形成されていることを特徴とする自立性袋からなる。
【００１８】
このような構成を採ることにより、前述した発明の作用効果に加えて、袋に充填される内容物の形状、流動性などに応じて、上部の幅を調節することができるので、内容物の取り出しなどの操作を容易に行えるようになる。また、袋の上部を、くびれた形状などの狭い幅に形成することにより、ボトルなどの容器に似たスマートな外観となり、袋の意匠性を向上させることができる。
【００１９】
【発明の実施の形態】
以下に、本発明の自立性袋に用いるフィルム、および袋の製造方法などについて説明する。
先ず、本発明の自立性袋の製造に用いるフィルムは、主にプラスチックを主とする積層フィルムを用いるが、特に限定はされず、液状物、その他水分を含む内容物などの包装用袋に用いられている公知の積層フィルムは、いずれも使用することができ、充填する内容物の種類や充填後の加熱処理の有無など、使用条件に応じて、適する材料を自由に選択して使用することができる。
只、袋に充填された内容物を、袋ごと電子レンジで加熱するような使用法を採る場合は、積層フィルム中に、アルミニウムなどの金属箔や金属蒸着層などを含まない構成とすることが必要である。
【００２０】
好ましく使用できる積層フィルムの構成の代表的な例として、以下のような構成が挙げられる。
(1) ＯＮフィルム／接着剤／Ｌ・ＬＤＰＥフィルム（シーラント層）
(2) ＯＮフィルム／接着剤／ＰＥＴフィルム／接着剤／Ｌ・ＬＤＰＥフィルム（シーラント層）
(3) ＯＮフィルム／接着剤／ＰＥＴフィルム／接着剤／ＣＰＰフィルム（シーラント層）
(4) ＯＮフィルム／接着剤／二軸延伸ＨＤＰＥフィルム／接着剤／Ｌ・ＬＤＰＥフィルム（シーラント層）
(5) ＯＮフィルム／接着剤／ＯＰＰフィルム／接着剤／Ｌ・ＬＤＰＥフィルム（シーラント層）
(6) ＯＮフィルム（シリカ又はアルミナ蒸着層）／接着剤／二軸延伸ＨＤＰＥフィルム／接着剤／Ｌ・ＬＤＰＥフィルム（シーラント層）
(7) ＯＮフィルム／アンカーコート層／共押し出しコート層（ＨＤＰＥ層／Ｌ・ＬＤＰＥ層）（シーラント層は、Ｌ・ＬＤＰＥ層）
(8) ＯＮフィルム／アンカーコート層／共押し出しコート層（ＨＤＰＥ層／ＬＤＰＥ層）／接着剤／Ｌ・ＬＤＰＥフィルム（シーラント層）
(9) ＰＥＴフィルム／接着剤／Ｌ・ＬＤＰＥフィルム（シーラント層）
(10)ＰＥＴフィルム／接着剤／ＯＮフィルム／接着剤／Ｌ・ＬＤＰＥフィルム（シーラント層）
ＣＰＰフィルム（シーラント層）
(11)ＰＥＴフィルム／接着剤／ＯＮフィルム／接着剤／ＣＰＰフィルム（シーラント層）
(12)ＰＥＴフィルム／接着剤／（シリカまたはアルミナ蒸着層）ＯＮフィルム／接着剤／Ｌ・ＬＤＰＥフィルム（シーラント層）
(13)ＰＥＴフィルム／接着剤／（シリカまたはアルミナ蒸着層）ＯＮフィルム／接着剤／ＣＰＰフィルム（シーラント層）
(14)ＰＥＴフィルム／接着剤／ＥＶＯＨフィルム／接着剤／ＯＮフィルム／接着剤／ＣＰＰフィルム（シーラント層）
などが挙げられるが、これらに限定されるものではなく様々な組み合わせの積層フィルムを使用することができる。
【００２１】
上記の構成において、ＯＮフィルムは二軸延伸ナイロンフィルム、ＯＰＰフィルムは二軸延伸ポリプロピレンフィルム、ＰＥＴフィルムは二軸延伸ポリエチレンテレフタレートフィルム、Ｌ・ＬＤＰＥは直鎖状低密度ポリエチレン、ＨＤＰＥは高密度ポリエチレン、ＬＤＰＥは低密度ポリエチレン、ＣＰＰフィルムは無延伸ポリプロピレンフィルム、また、ＥＶＯＨフィルムはエチレン−酢酸ビニル共重合体ケン化物フィルムを指すものである。
そして、アンカーコートは、押し出しコーティングで樹脂を積層する際、接着性を向上させるために基材フィルム側に予めコーティングするものでプライマーコートの一種である。
【００２２】
前記の積層フィルムの構成において、ＯＮフィルム、ＰＥＴフィルムは、最外層に用いる場合は、基材フィルムとして袋に機械的強度や耐熱性、印刷適性を付与し、中間層に用いる場合は、主に機械的強度を補強するために用いられる。
また、中間層に用いる二軸延伸ＨＤＰＥフィルム、ＯＰＰフィルムは、厚さを増し剛性を高めると同時に透湿度を向上させるために用いられる。
【００２３】
上記二軸延伸ＨＤＰＥフィルム、ＯＰＰフィルムは、一軸延伸ＨＤＰＥフィルム、一軸延伸ポリプロピレンフィルムとすることもでき、その場合、延伸方向が、袋を開封する際の引き裂き方向と一致するように積層することにより、引き裂きを容易にし、且つ、その方向性を安定化させることができる。
そして、シリカ又はアルミナ蒸着層、ＥＶＯＨフィルムなどは、ガスバリヤー性を付与するために積層するものであり、これらのほか、ポリアクリロニトリルフィルム、或いは、ポリ塩化ビニリデンの塗膜層などのガスバリヤー性材料を積層することもできる。
【００２４】
また、シーラント層としては、Ｌ・ＬＤＰＥフィルムとＣＰＰフィルムの２種類の例を挙げたが、Ｌ・ＬＤＰＥフィルムは、ヒートシールの安定性や耐内容物性、例えば界面活性剤に対する耐ストレスクラッキング性などに優れ、ＣＰＰフィルムは、耐熱性、低臭性に優れており、これらの性能を必要とする内容物の包装用に適している。
【００２５】
シーラント層には上記のほか、充填される内容物や加熱処理の有無など、使用条件に応じて、エチレン・αオレフィン共重合体、エチレン・酢酸ビニル共重合体、エチレン・アクリル酸共重合体、エチレン・アクリル酸エステル共重合体、アイオノマー、ポリエステル系樹脂、低密度乃至高密度ポリエチレンなども適宜選択して使用することができる。
【００２６】
特に、エチレン・αオレフィン共重合体でメタロセン系触媒などシングルサイト触媒を用いて重合したものは、分子量分布の幅が狭く、共重合比も安定しているため、低温ヒートシール性や、熱間シール性に優れており、本発明の自立性袋のように、ガセット部と胴部シール部との間など、ヒートシール部にフィルムの重なりの差による段差のある袋のシーラント層には、シール抜けによるピンホールの発生を防止できる点で適している。
更に、前記共重合体にオレフィン系エラストマーをブレンドしたものを用いることにより、シーラント層の熱流動性が改善され、前記段差によるピンホールの発生も一層効果的に防止することができる。
【００２７】
次に、以上のような積層フィルムを用いて製造する本発明の自立性袋の製造方法について説明する。
本発明の自立性袋は、底部のヒートシール部に突出部を設け、また、必要な場合、上部をくびれた形状などの狭い幅に形成する点で、通常のスタンディングパウチとは異なるが、その製袋自体は、従来のスタンディングパウチ用の製袋機（１列用製袋機でも、２列突き合わせ製袋機でもいずれでもよい）を利用して、その底部および側部のシールパターンを適宜変更し、また、底部のトリミング装置と、必要な場合、側部のトリミング装置なども付加することにより、容易に製袋することができる。
【００２８】
【実施例】
以下に、図面を用いて本発明を更に具体的に説明する。但し、本発明はこれらの図面に限定されるものではない。
【００２９】
図１は、本発明の自立性袋の第１の参考例の構成を示す正面図である。図１において、自立性袋１００は、底部が、前後両側の壁面の積層フィルム１の下部の間に、底面フィルムを内側に折り込んで挿入してなるガセット部６を有する形式に形成されており、内側に折り込まれた底面フィルムの両側下端近傍には、この場合、半円形の底面フィルム切り欠き部５、５が設けられ、該ガセット部６が、船底形の底部シール部２でヒートシールされると共に、袋１００の下端には、前後両側のガセット部のフィルム、即ち、前後両側の壁面の積層フィルム１と、折り込まれた底面フィルムとを延長して、袋１００の前後両側の下辺全体から円弧状に下方に突出する突出部７がトリミングにより設けられて形成されている。
【００３０】
また、胴部は、両側の壁面の積層フィルム１の両側端縁部を側部シール部３、３でヒートシールして形成され、上部が開口する袋状に形成されている。
上部シール部４は、内容物の充填前は未シールの開口部とし、この部分から内容物を充填した後、脱気シールなどによりヒートシールして密封するものである。この点は、以下の図２〜図４に示す自立性袋においても同様である。
【００３１】
そして、袋を開封する際の易開封性手段として、上部シール部４の下側近傍で、両側の側部シール部３、３の外側端部に、ノッチ８、８が設けられて構成されている。
上記ノッチは、片側のみに設けてもよい。また、易開封性手段としては、ノッチのほかに、レーザー光照射などによりハーフカット線を設ける方法、一軸延伸フィルムを積層フィルムの中間層などに積層する方法、カットテープを貼着する方法などがあり、これらのいずれかを単独で設けてもよく、また、適宜組み合わせて設けてもよい。
【００３２】
このような構成を採ることにより、自立性袋１００は、通常のスタンディングパウチと同様な工程で生産性よく製造でき、内容物の充填も上部の開口部から容易に行うことができ、また、内容量の割にコンパクトで外観にも優れている。
そして、内容物が充填された自立性袋１００は、胴部と底部が筒状に広がり、底部の外周に底部シール部２によるリング状の脚部が形成されるので、自立性があり、しかも、袋１００の下端には、下辺全体から円弧状に下方に突出する形状の突出部７が前後両側の下辺に設けられているので、袋１００を自立させた時、前記リング状の脚部全体が均一に接地し、一層優れた自立安定性を得ることができる。
【００３３】
図２は、本発明の自立性袋の第２の参考例の構成を示す正面図である。図２に示した自立性袋２００は、前記図１に示した自立性袋１００の構成において、袋の上部の形状のみを、くびれた形状で狭い幅になるように変更して構成したものである。
【００３４】
このような構成を採ることにより、自立性袋２００は、上部がくびれた形状で狭い幅に形成されているため、外観がボトルなどの容器に似てスマートな形状になり意匠性が向上する。
また、上部の開口部の幅を、内容物の形状、或いは流動性などに応じて、狭く調節することができるので、内容物を取り出す際、安全に取り出すことができる。
そして、自立性袋２００の底部など上部以外の構成は、前記図１に示した自立性袋１００と同じであるため、自立安定性などに関して、図１に示した自立性袋１００と同様な作用効果を得ることができる。
【００３５】
図３は、本発明の自立性袋の第３の参考例の構成を示す正面図である。図３に示した自立性袋３００は、前記図１に示した自立性袋１００の構成において、袋の前後両側の下端に設けた突出部７の形状のみを、袋３００の下辺の中央部を含む一部の領域に、該突出部７の先端が円弧状となる形状に変更して設けて構成したものである。
【００３６】
このような構成を採ることによっても、自立性袋３００は、内容物を充填して自立させた時、袋３００の両側の壁面の下端中央部の領域に主に発生する浮き上がり部が、前記突出部７により重点的に補足されるので、前記図１に示した自立性袋１００に設けた突出部７と略同様に、袋３００の自立安定性を一層向上させることができる。
【００３７】
図４は、本発明の自立性袋の第４の参考例の構成を示す正面図である。図４に示した自立性袋４００は、前記図１に示した自立性袋１００の構成において、袋の前後両側の下端に設けた突出部７の形状のみを、袋４００の下辺の中央部にタブ状の形状に変更して設けて構成したものである。
【００３８】
上記タブ状の突出部７の形状は、図では横長の長方形で示したが、半円形、半楕円形など任意の形状に設けることができる。
また、突出部７の長さについても、最低限、袋の下辺中央部近辺で大きくなる浮き上がり部を補足できる長さがあればよいが、例えば、１０〜１５ｍｍのように、浮き上がり部の高さよりも長くして、突出部７の先を外側に開かせて、その剛性で支えるようにしてもよい。
【００３９】
このような構成を採った場合も、自立性袋４００は、内容物を充填して自立させた時、袋の両側の壁面の下端中央部の領域に主に発生する浮き上がり部が、前記突出部７により補足されるので、前記図１に示した自立性袋１００に設けた突出部７と略同様に、袋４００の自立安定性を一層向上させることができる。
【００４０】
以上、図１〜図４に示した本発明の自立性袋では、下部のガセット部６をヒートシールする船底形のシールパターンを、その内側ラインが、湾曲線で形成される船底形のシールパターンで例示したが、例えば、一定幅の底部から両側が外側に傾斜を持って直線状に立ち上がる形状の船底形のシールパターンであってもよい。
【００４１】
【発明の効果】
以上、詳しく説明したように、本発明によれば、製袋および内容物の充填が容易で、充填後の袋が、優れた自立性を有し、容量の割にコンパクトで取り扱いやすく、外観、意匠性にも優れた自立性袋を生産性よく提供できる効果を奏する。特に、袋の自立性に関しては、内容物を充填した袋を自立させた時、袋の両側の壁面の下端中央部の領域に主に発生する浮き上がり部を、袋の前後両側の壁面の下端に、前後両側のガセット部のフィルムを延長して設けた突出部で補足することができるので、例えば、内容物が電子レンジなどで加熱して食する食品であって、袋に充填された内容物を、袋ごと電子レンジに立てて入れて加熱しても、袋が転倒することがないという優れた自立安定性を得ることができる。
【図面の簡単な説明】
【図１】本発明の自立性袋の第１の参考例の構成を示す正面図である。
【図２】本発明の自立性袋の第２の参考例の構成を示す正面図である。
【図３】本発明の自立性袋の第３の参考例の構成を示す正面図である。
【図４】本発明の自立性袋の第４の参考例の構成を示す正面図である。
【図１】
0004220077.tif 000002
【図２】
0004220077.tif 000003
【図３】
0004220077.tif 000004
【図４】
0004220077.tif 000005